(57)【特許請求の範囲】
【請求項１】
設置面に起立する複数の脚部材と、
前記脚部材間に上面が使用面となる態様で架設される天板と、
前記天板の下方において平板状の幕板基部の広幅面が奥行方向を向くことによって前記脚部材間の空間を遮蔽する幕板と
を備える什器において、
前記幕板は、
前記幕板基部の幅方向の両側部に形成され、対向する前記脚部材に連結される被連結部と、
前記幕板基部の下部に形成され、かつ該幕板基部との間に該幕板基部の幅方向に沿う態様で上方に開口する挿入空間を構成する補強折曲部と、
前記幕板基部の幅方向に沿う態様で前記挿入空間に挿入された補強部材と、
少なくとも前記奥行方向に沿って前記補強部材が移動することを規制する規制手段と
を備え、
前記規制手段は、前記幕板基部と、前記補強部材との固着部位により構成され、
前記固着部位は、前記挿入空間の外部に設けられることを特徴とする什器。
【請求項２】
設置面に起立する複数の脚部材と、
前記脚部材間に上面が使用面となる態様で架設される天板と、
前記天板の下方において平板状の幕板基部の広幅面が奥行方向を向くことによって前記脚部材間の空間を遮蔽する幕板と
を備える什器において、
前記幕板は、
前記幕板基部の幅方向の両側部に形成され、対向する前記脚部材に連結される被連結部と、
前記幕板基部の下部に形成され、かつ該幕板基部との間に該幕板基部の幅方向に沿う態様で上方に開口する挿入空間を構成する補強折曲部と、
前記幕板基部の幅方向に沿う態様で前記挿入空間に挿入された補強部材と、
少なくとも前記奥行方向に沿って前記補強部材が移動することを規制する規制手段と
を備え、
前記補強部材は、
凹状に形態をなして前記補強折曲部に嵌合する主部と、
前記主部の上部から起立し、前記幕板基部に固着される被固定部と
を備えることを特徴とする什器。
【請求項３】
前記被固定部は、前記幕板基部の幅方向に長手をなすフランジ部であることを特徴とする請求項２に記載の什器。
【請求項４】
前記主部は、前記補強折曲部よりも上方に向けて突出することを特徴とする請求項２又は請求項３に記載の什器。
【請求項５】
設置面に起立する複数の脚部材と、
前記脚部材間に上面が使用面となる態様で架設される天板と、
前記天板の下方において平板状の幕板基部の広幅面が奥行方向を向くことによって前記脚部材間の空間を遮蔽する幕板と
を備える什器において、
前記幕板は、
前記幕板基部の幅方向の両側部に形成され、対向する前記脚部材に連結される被連結部と、
前記幕板基部の下部に形成され、かつ該幕板基部との間に該幕板基部の幅方向に沿う態様で上方に開口する挿入空間を構成する補強折曲部と、
前記幕板基部の幅方向に沿う態様で前記挿入空間に挿入された補強部材と、
少なくとも前記奥行方向に沿って前記補強部材が移動することを規制する規制手段と
を備え、
前記被連結部は、前記幕板基部の幅方向の両側端部に形成され、かつ奥行方向の両端部が閉塞されるとともに前記幅方向の内方に開口する凹部を前記幕板基部との間で形成し、
前記補強部材は、前記幅方向の両端部が前記補強折曲部の両端部より外部に突出して前記凹部に進入して前記被連結部に嵌合することを特徴とする什器。
【発明の詳細な説明】
【技術分野】
【０００１】
本発明は、什器に関し、より詳細には、設置面に起立する複数の脚部材と、脚部材間に上面が使用面となる態様で架設される天板と、天板の下方において平板状の幕板基部の広幅面が奥行方向を向くことによって脚部材間の空間を遮蔽する幕板とを備える什器に関するものである。
【背景技術】
【０００２】
従来、什器として、脚部材としてのサイドパネル同士が幕板としてのアウターパネルに連結され、これらサイドパネル及びアウターパネルの上部に天板が載置されたうえで該天板とサイドパネル及びアウターパネルとがネジ固定されてなる机が知られている。かかる什器では、アウターパネルが天板を支持するフレーム構造体の一部として機能している（例えば、特許文献１参照）。
【先行技術文献】
【特許文献】
【０００３】
【特許文献１】特許第２７０７９４５号公報
【発明の概要】
【発明が解決しようとする課題】
【０００４】
ところで、上述した什器では、フレーム構造体の一部として機能するアウターパネルは、その構成上、上部及び幅方向の両側部が天板及びサイドパネルにそれぞれ連結されるが下部だけが他の構成要素と連結されていない。
【０００５】
そのため、上記什器では、使用者による意図しない足蹴り等によりアウターパネルの下部が押圧されるとアウターパネルが変形してしまう虞れがあった。特に、幅方向の寸法が大きい什器では、アウターパネルは幅方向が長大となるために剛性が十分に高いものとならず、アウターパネルの変形がより顕著であった。
【０００６】
本発明は、上記実情に鑑みて、脚部材同士を連結する幕板の強度の向上を図ることができる什器を提供することを目的とする。
【課題を解決するための手段】
【０００７】
上記目的を達成するために、本発明に係る什器は、設置面に起立する複数の脚部材と、前記脚部材間に上面が使用面となる態様で架設される天板と、前記天板の下方において平板状の幕板基部の広幅面が奥行方向を向くことによって前記脚部材間の空間を遮蔽する幕板とを備える什器において、前記幕板は、前記幕板基部の幅方向の両側部に形成され、対向する前記脚部材に連結される被連結部と、前記幕板基部の下部に形成され、かつ該幕板基部との間に該幕板基部の幅方向に沿う態様で上方に開口する挿入空間を構成する補強折曲部と、前記幕板基部の幅方向に沿う態様で前記挿入空間に挿入された補強部材と、少なくとも前記奥行方向に沿って前記補強部材が移動することを規制する規制手段とを備えることを特徴とする。
【０００８】
また本発明は、上記什器において、前記補強部材は、前記幕板基部の幅方向に所定の長さを有する１つの補強杆により構成されることを特徴とする。
【０００９】
また本発明は、上記什器において、前記規制手段は、前記補強折曲部における前記挿入空間を臨む内面と、前記補強部材との当接部位により構成されることを特徴とする。
【００１０】
また本発明は、上記什器において、前記当接部位は、互いに前記奥行方向に離間する態様で複数形成されていることを特徴とする。
【００１１】
また本発明は、上記什器において、前記規制手段は、前記幕板基部と、前記補強部材との固着部位により構成されることを特徴とする。
【００１２】
また本発明は、上記什器において、前記固着部位は、前記挿入空間の外部に設けられることを特徴とする。
【００１３】
また本発明は、上記什器において、前記補強部材は、凹状に形態をなして前記補強折曲部に嵌合する主部と、前記主部の上部から起立し、前記幕板基部に固着される被固定部とを備えることを特徴とする。
【００１４】
また本発明は、上記什器において、前記被固定部は、前記幕板基部の幅方向に長手をなすフランジ部であることを特徴とする。
【００１５】
また本発明は、上記什器において、前記主部は、前記補強折曲部よりも上方に向けて突出することを特徴とする。
【００１６】
また本発明は、上記什器において、前記被連結部は、前記幕板基部の幅方向の両側端部に形成され、かつ奥行方向の両端部が閉塞されるとともに前記幅方向の内方に開口する凹部を前記幕板基部との間で形成し、前記補強部材は、前記幅方向の両端部が前記補強折曲部の両端部より外部に突出して前記凹部に進入して前記被連結部に嵌合することを特徴とする。
【発明の効果】
【００１７】
本発明によれば、幕板基部との間に該幕板基部の幅方向に沿う態様で上方に開口する挿入空間を構成する補強折曲部が、該幕板基部の下部に形成されているので、幕板の下部の剛性を向上させることができる。そして、補強折曲部と幕板基部との間に形成された挿入空間に挿入された補強部材が、規制手段により少なくとも奥行方向に沿っての移動が規制されているので、幕板の下部の曲げ剛性を更に増大させることができる。従って、脚部材同士を連結する幕板の強度の向上を図ることができるという効果を奏する。
【図面の簡単な説明】
【００１８】
【図１】図１は、本発明の実施の形態である什器を示す正面図である。
【図２】図２は、本発明の実施の形態である什器を示す側面図である。
【図３】図３は、本発明の実施の形態である什器を示す斜視図である。
【図４】図４は、本発明の実施の形態である什器を示す分解斜視図である。
【図５】図５は、図１におけるＡ−Ａ線断面図である。
【図６】図６は、図２におけるＢ−Ｂ線断面図のうち左方側要部を示す断面図である。
【図７】図７は、図２におけるＣ−Ｃ線断面図のうち左方側要部を示す断面図である。
【図８】図８は、図５に示した補強杆を補強折曲部に挿入する状態を示す説明用断面図である。
【発明を実施するための形態】
【００１９】
以下に添付図面を参照して、本発明に係る什器の好適な実施の形態について詳細に説明する。
【００２０】
図１〜図４は、それぞれ本発明の実施の形態である什器を示すものであり、図１は正面図、図２は側面図、図３は斜視図、図４は分解斜視図である。ここで例示する什器は、複数の脚部材１０と、幕板２０と、天板４０とを備えて構成されている。尚、以下においては、什器の奥行方向を前後方向とし、幅方向を左右方向として説明する。
【００２１】
複数の脚部材１０は、例えば鋼板等から形成されるもので、左右一対となるものである。これら脚部材１０は、それぞれ脚柱部１１、ベース部１２、脚アーム部１３及び脚ヒレ部１４を備えて構成されている。
【００２２】
脚柱部１１は、例えば四角筒状の形態をなすもので、上下方向が長手方向となる長尺状部材である。この脚柱部１１は、横断面形状が略矩形となる中空部１１ａ（図６参照）を有している。
【００２３】
ベース部１２は、脚柱部１１の下端部に設けられており、前後方向が長手方向となる部材である。このベース部１２には、支持用貫通孔１２ａが形成されており、該支持用貫通孔１２ａを上方より通過する締結ネジ（図示せず）が設置面Ｇに締結されることで該設置面Ｇに支持されるものである。これにより脚部材１０は、設置面Ｇに起立している。尚、図中の符号１５は、脚カバーである。脚カバー１５は、ベース部１２を覆うものであり、上記締結ネジが露出されることを防止するものである。
【００２４】
脚アーム部１３は、脚柱部１１の上端部の後面に設けられている。より詳細には、脚アーム部１３は、脚柱部１１の上端部の後面より後方に向けて延在する態様で設けられている。
【００２５】
脚ヒレ部１４は、脚柱部１１及び脚アーム部１３の上端部より幅方向の内方に向けて延在する態様で設けられている。より具体的に説明すると、左方側の脚ヒレ部１４は、左方側の脚部材１０を構成する脚柱部１１及び脚アーム部１３の上端部より右方に向けて延在する態様で設けられており、右方側の脚ヒレ部１４は、右方側の脚部材１０を構成する脚柱部１１及び脚アーム部１３の上端部より左方に向けて延在する態様で設けられている。このような脚ヒレ部１４は、前後方向が長手方向となる長尺状の水平延在部材であり、前後方向に沿って所定間隔毎に第１支持孔１４ａが形成されている。
【００２６】
図５〜図７は、それぞれ図１〜図４に示した什器の要部を示すものであり、図５は、図１におけるＡ−Ａ線断面図であり、図６は、図２におけるＢ−Ｂ線断面図のうち左方側要部を示す断面図であり、図７は、図２におけるＣ−Ｃ線断面図のうち左方側要部を示す断面図である。以下においては、これら図５〜図７も適宜用いて本実施の形態の什器について説明する。
【００２７】
幕板２０は、幕板本体部２０ａと補強杆３０とを備えて構成されている。幕板本体部２０ａは、例えば厚みが０．８〜１．２ｍｍ程度の鋼板を屈曲等して形成されるもので、左右方向が長手方向となる略平板状部材である。この幕板本体部２０ａは、幕板基部２１と、幕板ヒレ部２２と、被連結部２３，２４と、補強折曲部２５とを有して構成されている。
【００２８】
幕板基部２１は、左右方向が上下方向よりも長手となる矩形平板状部分であり、前面及び後面が広幅面を構成している。
【００２９】
幕板ヒレ部２２は、幕板基部２１の上端部より後方に向けて延在する態様で設けられている。この幕板ヒレ部２２は、左右方向が長手方向となる長尺状の水平延在部材であり、左右方向に沿って所定間隔毎に第２支持孔２２ａが形成されている。
【００３０】
被連結部２３，２４は、幕板基部２１の左右両側部、すなわち幅方向の両側部に形成されることで複数設けられており、左右一対となるものである。幕板基部２１の左側部に形成された被連結部（以下、左側被連結部ともいう）２３は、第１左側後延部２３１と、左側右延部２３２と、第２左側後延部２３３とを有している。
【００３１】
第１左側後延部２３１は、幕板基部２１の左側縁部より後方に向けて延在する部分である。この第１左側後延部２３１の後方への延在長さ、すなわち前後方向の長さは、幕板ヒレ部２２の前後方向の長さよりも短いものである。
【００３２】
左側右延部２３２は、第１左側後延部２３１の後端縁部より右方に向けて延在する部分である。この左側右延部２３２は、前面が幕板基部２１の後面に対向するものである。
【００３３】
第２左側後延部２３３は、左側右延部２３２の右端縁部より後方に向けて延在する部分である。この第２左側後延部２３３には、上端部と下端部とに左側取付孔２３３ａが形成されている。
【００３４】
このような左側被連結部２３においては、第１左側後延部２３１と左側右延部２３２とが、幕板基部２１との間で左側凹部２３ａを形成している。この左側凹部２３ａは、前後方向（奥行方向）の両端部が閉塞されるとともに幅方向の内方となる右方に開口するものである。
【００３５】
幕板基部２１の右側部に形成された被連結部（以下、右側被連結部ともいう）２４は、第１右側後延部２４１と、右側左延部２４２と、第２右側後延部２４３とを有している。
【００３６】
第１右側後延部２４１は、幕板基部２１の右側縁部より後方に向けて延在する部分である。この第１右側後延部２４１の後方への延在長さ、すなわち前後方向の長さは、幕板ヒレ部２２の前後方向の長さよりも短いものであり、第１左側後延部２３１の前後方向の長さと同等である。
【００３７】
右側左延部２４２は、第１右側後延部２４１の後端縁部より左方に向けて延在する部分である。この右側左延部２４２は、左方への延在長さ、すなわち左右方向の長さが左側右延部２３２の左右方向の長さと同等のものであり、前面が幕板基部２１の後面に対向するものである。
【００３８】
第２右側後延部２４３は、右側左延部２４２の左端縁部より後方に向けて延在する部分である。この第２右側後延部２４３の後方への延在長さ、すなわち前後方向の長さは、第２左側後延部２３３の前後方向の長さと同等であり、その左面が第２左側後延部２３３の右面と対向している。また、第２右側後延部２４３には、上端部と下端部とに右側取付孔２４３ａが形成されている。
【００３９】
このような右側被連結部２４においては、第１右側後延部２４１と右側左延部２４２とが、幕板基部２１との間で右側凹部２４ａを形成している。この右側凹部２４ａは、前後方向（奥行方向）の両端部が閉塞されるとともに幅方向の内方となる左方に開口するものである。
【００４０】
補強折曲部２５は、幕板基部２１の下端部に形成されている。この補強折曲部２５は、補強後延部２５１と補強上延部２５２とを有している。
【００４１】
補強後延部２５１は、幕板基部２１の下端縁部より後方に向けて延在する部分である。この補強後延部２５１の後方への延在長さ、すなわち前後方向の長さは、第１左側後延部２３１及び第１右側後延部２４１の前後方向の長さと同等である。補強上延部２５２は、補強後延部２５１の後端縁部より上方に向けて延在する部分である。
【００４２】
このような補強折曲部２５は、左右方向が長手方向となる長尺状部材であり、補強後延部２５１及び補強上延部２５２が、幕板基部２１の後面との間に該幕板基部２１の左右方向に沿う態様で上方に開口する挿入空間Ｓ（図８参照）を構成している。
【００４３】
補強杆３０は、上記幕板本体部２０ａと同様に、例えば厚みが０．８〜１．２ｍｍ程度の鋼板を屈曲等して形成されるもので、左右方向が長手方向となる長尺状部材である。この補強杆３０は、左右方向の長さが補強折曲部２５の左右方向の長さよりも大きいもので、主部３１と被固定部３２とを備えて構成されている。本実施の形態においては、かかる補強杆３０が本発明の補強部材を構成している。つまり、補強部材は、幕板基部２１の幅方向に所定の長さを有する１つの補強杆３０により構成されている。
【００４４】
主部３１は、基部３１１と、第１前延部３１２と、第２前延部３１３とを有している。基部３１１は、主部３１の上下方向の寸法を規定するものであり、上下方向に沿って延在する部分である。この基部３１１の上下方向に沿った延在長さは、補強上延部２５２の延在長さよりも長いものである。
【００４５】
第１前延部３１２は、基部３１１の下端縁部より前方に向けて延在する部分である。この第１前延部３１２の前方への延在長さ、すなわち前後方向の長さは、補強後延部２５１の前後方向の長さよりも僅かに短いものである。
【００４６】
第２前延部３１３は、上記第１前延部３１２とともに主部３１の前後方向の寸法を規定するものであり、基部３１１の上端縁部より前方に向けて延在する部分である。この第２前延部３１３の前方への延在長さ、すなわち前後方向の長さは、第１前延部３１２の前後方向の長さと同等であり、補強後延部２５１の前後方向の長さよりも僅かに短いものである。このような主部３１は、前方に開口する凹状の形態を成している。
【００４７】
被固定部３２は、主部３１の上部から起立するものである。より詳細に説明すると、被固定部３２は、主部３１を構成する第２前延部３１３の前端縁部より上方に向けて延在するものである。このように被固定部３２は、左右方向に長手をなすフランジ部である。
【００４８】
このような構成を有する補強杆３０は、図８にも示すように、補強折曲部２５に対して上方から相対的に進入することで挿入空間Ｓに挿入される。この場合において、補強杆３０の第１前延部３１２及び第２前延部３１３の前後方向の長さが補強後延部２５１の前後方向の長さよりも僅かに短いので、補強杆３０は、第１前延部３１２が補強後延部２５１に当接するとともに基部３１１が補強上延部２５２の一部に当接した状態で、主部３１が補強折曲部２５に嵌合する。
【００４９】
そして、補強杆３０は、被固定部３２が幕板基部２１の後面に左右方向に沿って例えばスポット溶接等により接合されて固着されることにより、前後方向への移動が規制された状態で保持されている。この場合において、主部３１を構成する基部３１１の上下方向に沿った延在長さは、補強上延部２５２の延在長さよりも長いものなので、主部３１は、補強折曲部２５よりも上方に向けて突出している。
【００５０】
このように上記什器においては、補強折曲部２５における挿入空間Ｓを臨む内面、すなわち補強後延部２５１の上面及び補強上延部２５２の前面と補強杆３０との当接部位、並びに幕板基部２１の後面と補強杆３０との固着部位により本発明の規制手段が構成されている。また、補強折曲部２５と補強杆３０との当接部位は、補強後延部２５１と補強杆３０との当接部分と、補強上延部２５２と補強杆３０との当接部分とがあるので、互いに前後方向に離間する態様で複数形成されている。
【００５１】
また補強杆３０は、上述したように左右方向の長さが補強折曲部２５の左右方向の長さよりも大きいものなので、左右両端部が補強折曲部２５の左右両端部より外部に突出している。そして、補強杆３０の左側端部のうち補強折曲部２５の左側端部より左方に突出している部分は、図６及び図７に示すように、左側被連結部２３の左側凹部２３ａに進入して該左側被連結部２３に嵌合している。また、図には明示しないが、補強杆３０の右側端部のうち補強折曲部２５の右側端部より右方に突出している部分は、右側被連結部２４の右側凹部２４ａに進入して該右側被連結部２４に嵌合している。
【００５２】
このような構成を有する幕板２０は、左側被連結部２３の左側右延部２３２の後面が左側の脚部材１０における脚柱部１１の前面に当接し、かつ第２左側後延部２３３の左面が該脚柱部１１の右面に当接した状態で、左側取付孔２３３ａを右方から通過する取付ネジＴＢが該脚柱部１１に形成された被取付孔１１ｂに保持された取付ナットＴＮに螺合することにより左側の脚部材１０に取り付けられている。
【００５３】
また幕板２０は、右側被連結部２４の右側左延部２４２の後面が右側の脚部材１０における脚柱部１１の前面に当接し、かつ第２右側後延部２４３の右面が該脚柱部１１の左面に当接した状態で、右側取付孔２４３ａを左方から通過する取付ネジＴＢが該脚柱部１１に形成された被取付孔１１ｂに保持された取付ナット（図示せず）に螺合することにより右側の脚部材１０に取り付けられている。
【００５４】
これにより、幕板２０は、左右一対の脚部材１０間に架設される。このとき、幕板２０の幕板ヒレ部２２は、脚部材１０の脚ヒレ部１４と同一平面を形成している。
【００５５】
天板４０は、例えば木材等により形成された平板状部材であり、左右方向が長手方向となるものである。より具体的に説明すると、天板４０は、左右方向の寸法が例えば２４００〜３０００ｍｍとされ、前後方向の寸法が例えば４００〜５００ｍｍとされている。
【００５６】
この天板４０は、脚部材１０の脚ヒレ部１４に形成された第１支持孔１４ａ及び幕板２０の幕板ヒレ部２２に形成された第２支持孔２２ａのそれぞれに対向可能な個所に被支持孔４０ａが形成されている。そして、天板４０は、第１支持孔１４ａ及び第２支持孔２２ａを下方から貫通する支持ネジＳＢが被支持孔４０ａに進入して螺合することにより、上面が使用面となる態様で脚部材１０間に支持されている。
【００５７】
また上記天板４０には、下面の後端部にロッド部材５０が取り付けられている。ロッド部材５０は、左右方向が長手方向となる長尺状のものであり、四角筒状をなしている。このロッド部材５０は、該ロッド部材５０に形成された補強貫通孔５０ａを下方から貫通する固定ネジＨＢが天板４０に形成された固定孔４０ｂに進入して螺合することにより該天板４０に取り付けられて固定されている。
【００５８】
ここでロッド部材５０は、左右両端部が脚ヒレ部１４の後方側に配置されている。これにより、脚ヒレ部１４の後端部がロッド部材５０により被覆されている。そのため、脚ヒレ部１４の後端部への手の接触が防止される。また、ロッド部材５０の左右両端部の端面は、脚アーム部１３により覆われている。これにより、ロッド部材５０の端面への手の接触が防止される。
【００５９】
以上のような構成を有する什器においては、幕板基部２１との間に該幕板基部２１の左右方向に沿う態様で上方に開口する挿入空間Ｓを構成する補強折曲部２５が該幕板基部２１の下部に形成されているので、幕板２０の下部の剛性を向上させることができる。そして、補強折曲部２５に挿入された補強杆３０が、主部３１が補強折曲部２５によって前後方向への移動が規制されつつ被固定部３２が幕板基部２１に固着されているので、幕板２０の下部の曲げ剛性を更に増大させることができる。従って、上記什器によれば、脚部材１０同士を連結する幕板２０の強度の向上を図ることができる。
【００６０】
このように幕板２０の強度の向上を図ることで、脚部材１０同士の連結強度の増強に一層寄与することができる。
【００６１】
上記什器によれば、補強杆３０が左右方向（幅方向）に所定の長さを有しており、それ１つで本発明の補強部材を構成しているので、挿入空間Ｓへの挿入が容易になり、しかも前後方向のモーメントに対して十分な強度を有することができる。
【００６２】
上記什器によれば、補強折曲部２５と補強杆３０との当接部位は、互いに前後方向に離間する態様で複数形成されているので、前後方向（奥行方向）の衝撃に対する強度をより確実に向上させることができる。
【００６３】
上記什器によれば、補強杆３０は、主部３１が補強折曲部２５によって前後方向への移動が規制されつつ被固定部３２が幕板基部２１に固着されているので、幕板本体部２０ａへの配設を容易なものとすることができるとともに、固着部位の低減化を図ることができる。これにより、補強杆３０を幕板本体部２０ａに固着させるための手段の露呈による外観体裁の低下を抑制することができる。
【００６４】
上記什器によれば、補強杆３０の主部３１が凹状に形態をなして補強折曲部２５に嵌合するので、補強折曲部２５に対する補強杆３０の取付強度を向上させることができる。
【００６５】
上記什器によれば、補強杆３０の被固定部３２が幕板基部２１の幅方向に長手をなすフランジ部であるので、該被固定部３２を幕板基部２１にスポット溶接により固着させる際に、左右方向の任意の個所で行うことができ、作業効率の向上を図ることができる。
【００６６】
上記什器によれば、補強杆３０の主部３１が補強折曲部２５よりも上方に向けて突出しているので、該主部３１の上部から起立する被固定部３２が補強折曲部２５に覆われずに露出される。これにより、被固定部３２を幕板基部２１に固着させる作業を行う場合に補強折曲部２５が邪魔する虞れがなく、作業効率の向上を図り、組立作業性に優れるものとすることができる。
【００６７】
上記什器によれば、補強杆３０の左右両端部が左右の被連結部２３，２４の凹部２３ａ，２４ａに進入して補強杆３０が被連結部２３，２４に嵌合するので、被連結部２３，２４の強度を向上させることができる。これにより幕板２０が脚部材１０間に取り付けられる場合に、取付ネジＴＢ等の締結力により被連結部２３，２４が変形してしまうことを抑制することができる。
【００６８】
以上本発明の好適な実施の形態について説明したが、本発明はこれに限定されるものではなく、種々の変更を行うことができる。
【００６９】
上述した実施の形態では、補強杆３０の主部３１が凹状をなすものであったが、本発明においては、補強部材の形状は特に限定されるものではなく、例えば筒状の形態をなすものであってもよい。
【００７０】
上述した実施の形態では、脚部材１０は、ベース部１２が設置面Ｇに締結されていたが、本発明においては、脚部材は、設置面に起立するのであれば該設置面に締結されていなくてもよい。
【００７１】
上述した実施の形態では、補強杆３０が幕板基部２１に固着されていたが、本発明においては、補強部材は、補強折曲部に嵌合するだけで幕板基部等に固着されていなくても良い。これによれば、補強部材を幕板基部等に溶接する必要がなく、組立作業を簡易なものとすることができる。
【００７２】
上述した実施の形態では、補強杆３０を挿入空間Ｓに挿入して補強折曲部２５に嵌合させるとともに幕板基部２１に固着していたが、本発明においては、補強部材は幕板基部等に固着されるだけでも良い。この場合、挿入空間での補強部材の移動を規制することができる。
【００７３】
上述した実施の形態では、補強杆３０は、挿入空間Ｓの外部にて被固定部３２が幕板基部２１に固着されていたが、本発明においては、補強部材の固着個所は特に限定されるものではない。すなわち、補強部材は、挿入空間の内部にて補強折曲部と固着されても良い。
【００７４】
上述した実施の形態では、補強杆３０の主部３１は、補強折曲部２５よりも上方に向けて突出していたが、本発明においては、凹状をなす主部の上部の高さレベルが補強折曲部の補強上延部の上端部の高さレベルと同一であっても良い。
【００７５】
上述した実施の形態では、１つの補強杆３０が補強部材を構成していたが、本発明の補強部材は、補強杆３０と同じ縦断面形状を有して幅寸法が補強杆３０よりも小さい複数の補強要素により構成されても良い。補強部材が複数の補強要素により構成される場合、これら補強要素が幕板基部の幅方向に沿って挿入空間に挿入されて設けられることが好ましい。また、これら補強要素は、補強杆３０と必ずしも同じ縦断面形状を有さなくても良く、筒状等の様々な形態を有していても良い。
【符号の説明】
【００７６】
１０  脚部材
１１  脚柱部
１２  脚支持部
１３  脚アーム部
１４  脚ヒレ部
２０  幕板
２０ａ  幕板本体部
２１  幕板基部
２２  幕板ヒレ部
２３  左側被連結部
２３ａ  左側凹部
２４  右側被連結部
２４ａ  右側凹部
２５  補強折曲部
２５１  補強後延部
２５２  補強上延部
３０  補強杆
３１  主部
３１１  基部
３１２  第１前延部
３１２  第２前延部
３２  被固定部
４０  天板
Ｇ  設置面
Ｓ  挿入空間
【図１】
0006763683.tif 000002
【図２】
0006763683.tif 000003
【図３】
0006763683.tif 000004
【図４】
0006763683.tif 000005
【図５】
0006763683.tif 000006
【図６】
0006763683.tif 000007
【図７】
0006763683.tif 000008
【図８】
0006763683.tif 000009